(57)【特許請求の範囲】
【請求項１】
無線接続システムにおける非活性セカンダリキャリアのスキャン報告方法であって、前記方法は、
参照キャリア情報を含むマルチキャリア広告（ＭＣ−ＡＤＶ）メッセージを基地局から受信することであって、前記参照キャリア情報は、キャリアグループを代表する参照キャリアとして動作するキャリアのインデックスを指示する、ことと、
少なくとも一つの非活性セカンダリキャリアに対するスキャニングを行うことと、
前記少なくとも一つの非活性セカンダリキャリアに対するスキャン結果を前記基地局に報告することと
を含み、
前記参照キャリアにリンクされた割り当てセカンダリキャリアが全て非活性である場合、前記参照キャリアにリンクされた割り当てセカンダリキャリアの最も低いキャリアインデックスに該当する非活性セカンダリキャリアに対してのみ、前記スキャン結果の報告が行われる、方法。
【請求項２】
前記参照キャリアにリンクされた非活性割り当てセカンダリキャリアのうちの一つが活性化された場合、残りの非活性セカンダリキャリアに対するスキャニング及び／またはスキャン報告を中断することをさらに含む、請求項１に記載の方法。
【請求項３】
前記マルチキャリア広告メッセージは、キャリア活性化（ＣＡ）特定トリガ情報をさらに含み、前記ＣＡ特定トリガ情報は、少なくとも一つのトリガ条件と、前記少なくとも一つのトリガ条件が満たされる場合に行われる動作とを含む、請求項１に記載の方法。
【請求項４】
前記行われる動作は、非活性セカンダリキャリアに対するスキャンレポート（ＳＣＮ−ＲＥＰ）メッセージの伝送を含む、請求項３に記載の方法。
【請求項５】
前記ＣＡ特定トリガ情報は、前記参照キャリアに該当するトリガ情報である、請求項３に記載の方法。
【請求項６】
前記トリガ条件が満たされる場合、前記スキャン結果が前記基地局に報告される、請求項５に記載の方法。
【請求項７】
前記参照キャリアにリンクされた非活性セカンダリキャリアは、前記参照キャリアが属するキャリアグループに属するキャリアのサブセットである、請求項１に記載の方法。
【請求項８】
前記キャリアグループは、同一または類似した特性を有するキャリアを含み、前記キャリアの特性は、チャネル品質またはカバレッジである、請求項１に記載の方法。
【請求項９】
前記基地局から、前記非活性セカンダリキャリアのスキャニングを指示するスキャン応答（ＳＣＮ−ＲＳＰ）メッセージを受信することをさらに含む、請求項１に記載の方法。
【請求項１０】
無線接続システムにおける非活性セカンダリキャリアのスキャン報告方法であって、前記方法は、
参照キャリア情報を含むマルチキャリア広告（ＭＣ−ＡＤＶ）メッセージを端末に伝送することであって、前記参照キャリア情報は、キャリアグループを代表する参照キャリアとして動作するキャリアのインデックスを指示する、ことと、
前記端末の割り当てセカンダリキャリアのうち非活性セカンダリキャリアのスキャニングを指示するスキャン応答（ＳＣＮ−ＲＳＰ）メッセージを前記端末に伝送することと、
前記参照キャリアにリンクされた割り当てセカンダリキャリアが全て非活性である場合、前記参照キャリアにリンクされた非活性セカンダリキャリアの最も低いキャリアインデックスに該当する非活性セカンダリキャリアに対してのみ、スキャン報告を前記端末から受信することと
を含む、方法。
【請求項１１】
前記マルチキャリア広告メッセージは、前記非活性セカンダリキャリアのスキャン報告のために定義されたキャリア活性化（ＣＡ）特定トリガ情報をさらに含み、
前記ＣＡ特定トリガ情報は、少なくとも一つのトリガ条件と、前記少なくとも一つのトリガ条件が満たされる場合に行われる動作とを含む、請求項１０に記載の方法。
【請求項１２】
前記参照キャリアにリンクされた非活性セカンダリキャリアは、前記参照キャリアが属するキャリアグループに属するキャリアのサブセットである、請求項１０に記載の方法。
【請求項１３】
無線接続システムにおいて非活性セカンダリキャリアのスキャン報告を行う端末であって、前記端末は、
外部と無線信号を送受信するように構成されている無線通信部と、
前記無線通信部に接続される制御部と
を含み、
前記制御部は、キャリアグループを代表する参照キャリアとして動作するキャリアのインデックスを指示する参照キャリア情報を含むマルチキャリア広告（ＭＣ−ＡＤＶ）メッセージを基地局から受信するように前記無線通信部を制御することと、少なくとも一つの非活性セカンダリキャリアに対するスキャニングを行うように前記無線通信部を制御することと、前記参照キャリアにリンクされた割り当てセカンダリキャリアが全て非活性である場合、前記参照キャリアにリンクされた割り当てセカンダリキャリアの最も低いキャリアインデックスに該当する非活性セカンダリキャリアに対してのみ、スキャン結果を前記基地局に報告するように前記無線通信部を制御することとを行うように構成されている、端末。
【請求項１４】
前記制御部は、
前記参照キャリアにリンクされた非活性セカンダリキャリアのうちの一つが活性化された場合、残りの非活性セカンダリキャリアに対するスキャニング及び／またはスキャン報告を中断するように前記無線通信部を制御する、請求項１３に記載の端末。
【請求項１５】
前記マルチキャリア広告メッセージは、前記非活性セカンダリキャリアのスキャン報告のために定義されたキャリア活性化（ＣＡ）特定トリガ情報をさらに含み、
前記ＣＡ特定トリガ情報は、少なくとも一つのトリガ条件と、前記少なくとも一つのトリガ条件が満たされる場合に行われる動作とを含む、請求項１３に記載の端末。
【請求項１６】
前記行われる動作は、前記非活性セカンダリキャリアに対するスキャンレポート（ＳＣＮ−ＲＥＰ）メッセージの伝送である、請求項１５に記載の端末。
【請求項１７】
前記ＣＡ特定トリガ情報は、前記参照キャリアに該当するトリガ情報である、請求項１５に記載の端末。
【請求項１８】
前記制御部は、
前記トリガ条件が満たされる場合、前記最も低いキャリアインデックスに該当する非活性セカンダリキャリアに対するスキャン結果を前記基地局に報告するように前記無線通信部を制御する、請求項１７に記載の端末。
【発明の詳細な説明】
【技術分野】
【０００１】
本明細書は、無線接続システムに係り、より詳細には、非活性セカンダリキャリアのスキャニング及びスキャニング結果報告方法及び装置に関する。
【背景技術】
【０００２】
以下では、キャリア（Ｃａｒｒｉｅｒ）について簡略に説明する。
【０００３】
ユーザは、正弦波または周期的なパルス波の振幅、周波数及び／または位相などに変調操作をして、伝送しようとする情報を含むことができる。このとき、情報を運ぶ役割をする正弦波またはパルス波をキャリアと呼ぶ。
【０００４】
キャリアを変調する方式には、シングルキャリア変調方式（ＳＣＭ：Ｓｉｎｇｌｅ−Ｃａｒｒｉｅｒ  Ｍｏｄｕｌａｔｉｏｎ  ｓｃｈｅｍｅ）またはマルチキャリア（ＭＣＭ：Ｍｕｌｔｉ−Ｃａｒｒｉｅｒ  Ｍｏｄｕｌａｔｉｏｎ  ｓｃｈｅｍｅ）変調方式がある。このうちシングルキャリア変調方式は、一つのキャリアに全ての情報を載せて変調する方式である。
【０００５】
マルチキャリア変調方式は、一つのキャリアの全体帯域幅チャネル（Ｃｈａｎｎｅｌ）を多数の小さい帯域幅を有する副チャネル（Ｓｕｂ−ｃｈａｎｎｅｌ）に分割し、多数の狭帯域副キャリア（Ｓｕｂ−Ｃａｒｒｉｅｒ）を各副チャネルを介して多重伝送する技術のことをいう。
【０００６】
このとき、マルチキャリア変調方式（ＭＣＭ）を利用する際に、各副チャネルは、小さい帯域幅によって平坦な特性（Ｆｌａｔ  Ｃｈａｎｎｅｌ）に近似化され得る。また、ユーザは、簡単な等化器を使用してチャネルの歪みを補償することができる。また、マルチキャリア変調方式は、高速フーリエ変換（ＦＦＴ）を用いて高速具現が可能である。すなわち、シングルキャリア変調方式（ＳＣＭ）に比べて、高速のデータ伝送に有利である。
【０００７】
基地局及び／または端末機の性能が発展するにつれて、基地局及び／または端末機で提供したり、使用することができる周波数帯域幅は拡大されている。したがって、本発明の実施例では、一つ以上のキャリアを束ねて使用する（Ｃａｒｒｉｅｒ  ａｇｇｒｅｇａｔｉｏｎ）ことによって、広帯域を支援するマルチキャリアシステムを開示している。
【０００８】
すなわち、以下で説明するマルチキャリアシステムは、上述した一つのキャリアを分けて使用するマルチキャリア変調方式とは異なり、一つ以上のキャリアを束ねて使用する場合を示す。
【０００９】
多重帯域（Ｍｕｌｔｉ−Ｂａｎｄ；又はマルチキャリア（Ｍｕｌｔｉ−Ｃａｒｒｉｅｒ））を効率的に使用するために、多数のキャリア（例えば、多数の周波数キャリア（ＦＣ：Ｆｒｅｑｕｅｎｃｙ  Ｃａｒｒｉｅｒ））を一つの媒体接続制御（ＭＡＣ）エンティティが管理する技術が提案されてきた。
【００１０】
図１の（ａ）及び（ｂ）は、多重帯域無線周波数（ＲＦ：Ｒａｄｉｏ  Ｆｒｅｑｕｅｎｃｙ）ベースの信号送受信方法を説明するための図である。
【００１１】
図１で、送信端及び受信端において、一つの媒体接続制御層は、マルチキャリアを効率的に使用するために多数のキャリアを管理することができる。このとき、マルチキャリアを効果的に送受信するために、送信端及び受信端はいずれもマルチキャリアを送受信できると仮定する。このとき、一つの媒体接続制御層で管理される周波数キャリア（ＦＣ：Ｆｒｅｑｕｅｎｃｙ  Ｃａｒｒｉｅｒ）は、互いに隣接する必要がないため、リソース管理の面において柔軟である。すなわち、隣接キャリア集合（Ｃｏｎｔｉｇｕｏｕｓ  Ａｇｇｒｅｇａｔｉｏｎ）または非隣接キャリア集合（Ｎｏｎ−ｃｏｎｔｉｇｕｏｕｓ  Ａｇｇｒｅｇａｔｉｏｎ）がいずれも可能である。
【００１２】
図１の（ａ）及び（ｂ）において、物理層（ＰＨＹ）０、物理層１、．．．、物理層ｎ−２、物理層ｎ−１は、本技術に係る多重帯域を示し、それぞれの帯域は、予め定められた周波数政策に従って特定サービスのために割り当てる周波数キャリア（ＦＣ）の大きさを有することができる。例えば、物理層０（ＲＦ  ｃａｒｒｉｅｒ  ０）は、一般のＦＭラジオ放送のために割り当てる周波数帯域の大きさを有することができ、物理層１（ＲＦ  ｃａｒｒｉｅｒ  １）は、携帯電話通信のために割り当てる周波数帯域の大きさを有することができる。
【００１３】
このように、それぞれの周波数帯域は、それぞれの周波数帯域特性によって互いに異なる周波数帯域の大きさを有することができるが、以下の説明では、説明の便宜上、各周波数キャリア（ＦＣ）はＡ［ＭＨｚ］の大きさを有すると仮定する。また、それぞれの周波数割り当て帯域は、基底帯域信号を各周波数帯域で用いるためのキャリア周波数によって代表され、以下では、各周波数割り当て帯域を“キャリア周波数帯域”または、混同のない場合、各キャリア周波数帯域を代表する単純に“キャリア”と称することにする。
【００１４】
また、最近、３ＧＰＰ  ＬＴＥ−Ａでのように、上述したキャリアを、マルチキャリア方式で用いられるサブキャリア（ｓｕｂ  ｃａｒｒｉｅｒ）と区分するために、“成分キャリア（ｃｏｍｐｏｎｅｎｔ  ｃａｒｒｉｅｒ）”と称することができる。
【００１５】
このような面において、上述した“多重帯域”方式は、“多重キャリア（Ｍｕｌｔｉ  Ｃａｒｒｉｅｒ）”方式、または“キャリア集合（ｃａｒｒｉｅｒ  ａｇｇｒｅｇａｔｉｏｎ）”方式と称することができる。
【００１６】
図２は、一般的な無線通信システムで多重搬送波が用いられる形態の一例を示す。
【００１７】
図２の（ａ）を参照すると、一般的な技術での多重搬送波は、連続する搬送波の集合（ｃｏｎｔｉｇｕｏｕｓ  ｃａｒｒｉｅｒ  ａｇｇｒｅｇａｔｉｏｎ）であってもよく、図２の（ｂ）のように、不連続的な搬送波の集合（ｎｏｎ−ｃｏｎｔｉｇｕｏｕｓ  ｃａｒｒｉｅｒ  ａｇｇｒｅｇａｔｉｏｎ）であってもよい。このような搬送波を結合する単位は、一般的な技術であるレガシーシステム（ｅ．ｇ．，ＬＴＥ（Ｌｏｎｇ  Ｔｅｒｍ  Ｅｖｏｌｕｔｉｏｎ）−ａｄｖａｎｃｅｄシステムの場合はＬＴＥ、ＩＥＥＥ  ８０２．１６ｍシステムの場合はＩＥＥＥ  ８０２．１６ｅ）の基本帯域幅単位である。
【００１８】
一般的な技術の多重搬送波環境では、次のような二つのタイプの搬送波を定義する。
【００１９】
まず、第１搬送波（または、プライマリキャリア（ｐｒｉｍａｒｙ  ｃａｒｒｉｅｒ））は、端末と基地局のトラフィック、完全な物理層及び媒体接続制御層制御情報（ｆｕｌｌ  ＰＨＹ／ＭＡＣ  ｃｏｎｔｒｏｌ  ｉｎｆｏｒｍａｔｉｏｎ）の交換が行われる搬送波のことをいう。また、主搬送波は、ネットワーク進入のような端末の一般的な動作にも使用できる。各端末は、１つのセルで一つの主搬送波を有する。
【００２０】
そして、第２搬送波（または、セカンダリキャリア（ｓｅｃｏｎｄａｒｙ  ｃａｒｒｉｅｒ））は、通常、第１搬送波から受信される基地局特定の割り当て命令と法則に従うトラフィックの交換に使用できる付加的な搬送波のことをいう。第２搬送波は、マルチキャリアの動作を支援するための制御シグナリングを含むことができる。
【００２１】
一般的な技術は、上述したプライマリ及びセカンダリキャリアに基づいて、多重搬送波（ｍｕｌｔｉ−ｃａｒｒｉｅｒ）システムの搬送波を、次のように完全構成されたキャリア（Ｆｕｌｌｙ  ｃｏｎｆｉｇｕｒｅｄ  ｃａｒｒｉｅｒ）と部分構成されたキャリア（Ｐａｒｔｉａｌｌｙ  ｃｏｎｆｉｇｕｒｅｄ  ｃａｒｒｉｅｒ）とに区分することができる。
【００２２】
完全構成されたキャリア（Ｆｕｌｌｙ  ｃｏｎｆｉｇｕｒｅｄ  ｃａｒｒｉｅｒ）は、制御シグナリングが設定される搬送波のことをいう。また、多重搬送波運用と他の搬送波に関する情報及びパラメータを前記制御チャネルに含ませることができる。
【００２３】
部分構成されたキャリア（Ｐａｒｔｉａｌｌｙ  ｃｏｎｆｉｇｕｒｅｄ  ｃａｒｒｉｅｒ）は、時分割二重化ダウンリンク伝送（ＴＤＤ  ＤＬ  ｔｒａｎｓｍｉｓｓｉｏｎ）または周波数分割二重化（ＦＤＤ）モードにおいて対をなすアップリンクキャリアのないダウンリンクキャリアでダウンリンク伝送を支援するための全ての制御チャネルが設定されるキャリアのことをいう。
【００２４】
一般に、端末は、プライマリキャリアを通じてネットワーク初期進入（ｉｎｉｔｉａｌ  ｎｅｔｗｏｒｋ  ｅｎｔｒｙ）を行い、基地局との登録要請／応答（ＡＡＩ＿ＲＥＧ−ＲＥＱ／ＲＳＰ）メッセージの交換を通じた登録過程で互いのマルチキャリア能力に関する情報を交換することができる。
【００２５】
マルチキャリアシステムにおいて、基地局は、キャリアの活性化を指示するために、割り当てセカンダリキャリア（ａｓｓｉｇｎｅｄ  ｓｅｃｏｎｄａｒｙ  ｃａｒｒｉｅｒ）のスキャニング及びスキャニング結果報告のためのキャリア活性化特定トリガ（ＣＡ−ｓｐｅｃｉｆｉｃ  ｔｒｉｇｇｅｒ）を定義する。ここで、キャリア活性化特定トリガは、マルチキャリア広告（ＭＣ−ＡＤＶ）メッセージに含まれて伝送される。端末は、前記キャリア活性化特定トリガに基づいて、割り当てセカンダリキャリアに対するスキャニングを行い、スキャニング結果を基地局に報告する。上記でのキャリア活性化特定トリガは、一般に、小さいカバレッジ（ｓｍａｌｌｅｒ  ｃｏｖｅｒａｇｅ）を有するキャリアに対して定義され、端末の割り当てセカンダリキャリアに対して適用する。
【００２６】
したがって、基地局は、任意の（または特定）端末に対して小さいカバレッジを有する割り当てセカンダリキャリアを活性化したい場合、キャリア活性化特定トリガによる割り当てセカンダリキャリアのスキャニング結果を用いることによって、正確なキャリア活性化を指示できるようになる。
【発明の概要】
【発明が解決しようとする課題】
【００２７】
キャリア活性化特定トリガを用いる場合、端末は、割り当てセカンダリキャリアの全てに対してスキャニング実行及び前記スキャニング結果を全て基地局に報告する。
【００２８】
しかし、端末の割り当てセカンダリキャリアのいずれか一つが活性化される場合、活性化されたキャリアに対しては、キャリア活性化特定トリガが適用される必要がない。すなわち、従来の技術は、割り当てセカンダリキャリアのうち活性セカンダリキャリアに対してもキャリア活性化特定トリガによるスキャニング及びスキャニング結果報告を行うことによって、システムのオーバーヘッド及び不要な動作を行うという問題がある。
【００２９】
したがって、本明細書では、端末の割り当てセカンダリキャリアのうち活性セカンダリキャリアに対しては、キャリア活性化特定トリガによるスキャニング及びスキャニング報告動作を行わない方法を提供することに目的がある。
【００３０】
また、基地局内に小さいカバレッジを有するキャリアが一つ以上存在し、そのうち、同一のカバレッジを有するキャリアが１個以上存在する場合、同一のカバレッジを有する割り当てキャリアのいずれか一つが活性化された場合にも、前記活性化されたキャリアと同一のカバレッジを有する他の割り当てキャリアに対するスキャニング及びスキャニング結果報告は続けて行われる。すなわち、基地局は、前記活性化されたキャリアのチャネル品質（Ｃｈａｎｎｅｌ  Ｑｕａｌｉｔｙ）を用いて、前記活性化されたキャリアと同一のカバレッジを有する他の割り当てキャリアのチャネル品質を参照できるにもかかわらず、キャリア活性化特定トリガによるスキャニング及びスキャニング結果報告は続けて行われることによって、不要な動作によるオーバーヘッドをもたらす。
【００３１】
したがって、本明細書では、端末の割り当てセカンダリキャリアのうち、活性セカンダリキャリアと同一のカバレッジを有する非活性セカンダリキャリアに対して、キャリア活性化特定トリガによるスキャニング及びスキャニング結果報告を中断するようにする方法を提供することに目的がある。
【課題を解決するための手段】
【００３２】
本明細書は、無線接続システムで、割り当てセカンダリキャリア（ａｓｓｉｇｎｅｄ  ｓｅｃｏｎｄａｒｙ  ｃａｒｒｉｅｒ）のスキャニング（ｓｃａｎｎｉｎｇ）方法において、参照キャリア（Ｒｅｆｅｒｅｎｃｅ  Ｃａｒｒｉｅｒ）情報を含むマルチキャリア広告（ＭＣ−ＡＤＶ）メッセージを基地局から受信するステップであって、前記参照キャリア情報は、キャリアグループを代表する参照キャリアのキャリアインデックスを指示する、ステップと；活性セカンダリキャリア（ａｃｔｉｖｅ  ｓｅｃｏｎｄａｒｙ  ｃａｒｒｉｅｒ）及び非活性セカンダリキャリア（ｉｎａｃｔｉｖｅ  ｓｅｃｏｎｄａｒｙ  ｃａｒｒｉｅｒ）のうち少なくとも一つを含む割り当てセカンダリキャリアに対するスキャニングを行うステップと；前記非活性セカンダリキャリアに対するスキャニング結果を前記基地局に報告するステップと；を含んでなり、前記参照キャリアに関連した（リンクされた、ｌｉｎｋｅｄ）非活性セカンダリキャリアにおいて最も低いキャリアインデックスに該当するキャリアに対するスキャニング結果を前記基地局に報告することを特徴とする。
【００３３】
また、前記スキャニング結果報告は、前記参照キャリアに関連した割り当てセカンダリキャリアが全て非活性である場合に行われることを特徴とする。
【００３４】
また、前記参照キャリアに関連した非活性セカンダリキャリアのいずれか一つが活性化された場合、前記活性化されたセカンダリキャリアを除いた残りの非活性セカンダリキャリアに対するスキャニング及びスキャニング結果報告を中断するステップをさらに含むことを特徴とする。
【００３５】
また、前記マルチキャリア広告メッセージは、キャリア活性化特定トリガ（ＣＡ−ｓｐｅｃｉｆｉｃ  ｔｒｉｇｇｅｒ）情報をさらに含み、前記キャリア活性化特定トリガ情報は、少なくとも一つのトリガ条件（ｔｒｉｇｇｅｒ  ｃｏｎｄｉｔｉｏｎ）及び前記トリガ条件を満足する場合に行われる動作（ａｃｔｉｏｎ）を含むことを特徴とする。
【００３６】
また、前記行われる動作は、非活性セカンダリキャリアに対するスキャンレポート（ＳＣＮ−ＲＥＰ）メッセージの伝送を含むことを特徴とする。
【００３７】
また、前記キャリア活性化特定トリガ情報は、前記参照キャリアに該当するトリガ情報であることを特徴とする。
【００３８】
また、前記トリガ条件を満足する場合、前記スキャニング結果を前記基地局に報告することを特徴とする。
【００３９】
また、前記参照キャリアに関連した非活性セカンダリキャリアは、前記参照キャリアが含まれたキャリアグループ内のキャリアのサブセット（ｓｕｂｓｅｔ）であることを特徴とする。
【００４０】
また、前記キャリアグループは、キャリアの特性が同一または類似したキャリアを含み、前記キャリアの特性は、チャネル品質（ｃｈａｎｎｅｌ  ｑｕａｌｉｔｙ）またはカバレッジ（ｃｏｖｅｒａｇｅ）であることを特徴とする。
【００４１】
また、前記基地局から、非活性セカンダリキャリアのスキャニングを指示するスキャン応答（ＳＣＮ−ＲＳＰ）メッセージを受信するステップをさらに含むことを特徴とする。
【００４２】
また、本明細書は、無線接続システムで、割り当てセカンダリキャリア（ａｓｓｉｇｎｅｄ  ｓｅｃｏｎｄａｒｙ  ｃａｒｒｉｅｒ）のスキャニング（ｓｃａｎｎｉｎｇ）方法において、参照キャリア（Ｒｅｆｅｒｅｎｃｅ  Ｃａｒｒｉｅｒ）情報を含むマルチキャリア広告（ＭＣ−ＡＤＶ）メッセージを端末に伝送するステップであって、前記参照キャリア情報は、キャリアグループを代表する参照キャリアのキャリアインデックスを指示する、ステップと；前記端末の割り当てセカンダリキャリアのうち非活性セカンダリキャリアのスキャニングを指示するスキャン応答（ＳＣＮ−ＲＳＰ）メッセージを前記端末に伝送するステップと；前記参照キャリアに関連した非活性セカンダリキャリアにおいて最も低いキャリアインデックスに該当するキャリアのスキャニング報告を前記端末から受信するステップと；を含むことを特徴とする。
【００４３】
また、前記参照キャリアに関連したセカンダリキャリアのいずれか一つが活性化された場合、前記活性化されたセカンダリキャリアを通じて、残りの非活性セカンダリキャリアに対するチャネル品質を測定するステップをさらに含むことを特徴とする。
【００４４】
また、前記マルチキャリア広告メッセージは、非活性セカンダリキャリアのスキャニング報告のために定義されたキャリア活性化特定トリガ（ＣＡ−ｓｐｅｃｉｆｉｃ  ｔｒｉｇｇｅｒ）情報をさらに含み、前記キャリア活性化特定トリガ情報は、少なくとも一つのトリガ条件及び前記トリガ条件を満足する場合に行われる動作を含むことを特徴とする。
【００４５】
また、前記参照キャリアに関連した非活性セカンダリキャリアは、前記参照キャリアが含まれたキャリアグループ内のキャリアのサブセット（ｓｕｂｓｅｔ）であることを特徴とする。
【００４６】
また、本明細書は、無線接続システムで、割り当てセカンダリキャリア（ａｓｓｉｇｎｅｄ  ｓｅｃｏｎｄａｒｙ  ｃａｒｒｉｅｒ）のスキャニング（ｓｃａｎｎｉｎｇ）を行うための端末において、外部と無線信号を送受信するように構成されている無線通信部と；前記無線通信部に接続される制御部と；を含み、前記制御部は、キャリアグループを代表する参照キャリアのキャリアインデックスを指示する参照キャリア（Ｒｅｆｅｒｅｎｃｅ  Ｃａｒｒｉｅｒ）情報を含むマルチキャリア広告（ＭＣ−ＡＤＶ）メッセージを基地局から受信するように前記無線通信部を制御し、前記割り当てセカンダリキャリアのうち非活性セカンダリキャリアに対するスキャニングを行うように制御し、前記参照キャリアに関連した非活性セカンダリキャリアにおいて最も低いキャリアインデックスに該当するキャリアに対するスキャニング結果を前記基地局に報告するように前記無線通信部を制御するように構成されていることを特徴とする。
【００４７】
また、前記制御部は、前記参照キャリアに関連した割り当てセカンダリキャリアが全て非活性である場合に、前記スキャニング結果を報告するように前記無線通信部を制御することを特徴とする。
【００４８】
また、前記制御部は、前記参照キャリアに関連した非活性セカンダリキャリアのいずれか一つが活性化された場合、前記活性化されたセカンダリキャリアを除いた残りの非活性セカンダリキャリアに対するスキャニング及びスキャニング結果報告を中断するように前記無線通信部を制御することを特徴とする。
【００４９】
また、前記マルチキャリア広告メッセージは、非活性セカンダリキャリアのスキャニング報告のために定義されたキャリア活性化特定トリガ（ＣＡ−ｓｐｅｃｉｆｉｃ  ｔｒｉｇｇｅｒ）情報をさらに含み、前記キャリア活性化特定トリガ情報は、少なくとも一つのトリガ条件及び前記トリガ条件を満足する場合に行われる動作を含むことを特徴とする。
【００５０】
また、前記行われる動作は、非活性セカンダリキャリアに対するスキャンレポート（ＳＣＮ−ＲＥＰ）メッセージの伝送であることを特徴とする。
【００５１】
また、前記キャリア活性化特定トリガ情報は、前記参照キャリアに該当するトリガ情報であることを特徴とする。
【００５２】
また、前記制御部は、前記トリガ条件を満足する場合、前記最も低いキャリアインデックスに該当するキャリアのスキャニング結果を前記基地局に報告するように前記無線通信部を制御することを特徴とする。
【発明の効果】
【００５３】
本明細書は、非活性セカンダリキャリアに対してのみスキャニング報告のためのトリガ条件が定義されたキャリア活性化特定トリガを定義することによって、端末の活性セカンダリキャリアに対する不要なスキャニング及びスキャニング報告を行わずに、システムのオーバーヘッドを減少させることができる効果がある。
【００５４】
また、本明細書は、参照キャリアを用いて、活性セカンダリキャリアと同一のカバレッジを有する非活性セカンダリキャリアに対する端末のスキャニング及びスキャニング報告を行わないことによって、不要な動作により発生するシステムのオーバーヘッドを減少させることができる効果がある。
本発明はさらに、例えば、以下を提供する。
（項目１）
無線接続システムで、非活性セカンダリキャリア（ｉｎａｃｔｉｖｅ  ｓｅｃｏｎｄａｒｙ  ｃａｒｒｉｅｒ）のスキャニング（ｓｃａｎｎｉｎｇ）報告方法において、
参照キャリア（Ｒｅｆｅｒｅｎｃｅ  Ｃａｒｒｉｅｒ）情報を含むマルチキャリア広告（ＭＣ−ＡＤＶ）メッセージを基地局から受信することと、前記参照キャリア情報は、キャリアグループを代表する参照キャリアのキャリアインデックスを指示する情報であり、
少なくとも一つの非活性セカンダリキャリア（ｉｎａｃｔｉｖｅ  ｓｅｃｏｎｄａｒｙ  ｃａｒｒｉｅｒ）に対するスキャニングを行うことと、
前記少なくとも一つの非活性セカンダリキャリアに対するスキャニング結果を前記基地局に報告することと、を含み、
前記参照キャリアにリンクされた（ｌｉｎｋｅｄ）割り当て（ａｓｓｉｇｎｅｄ）セカンダリキャリアが全て非活性である場合、前記参照キャリアにリンクされた割り当てセカンダリキャリアにおいて最も低いキャリアインデックスに該当する非活性セカンダリキャリアに対してのみスキャニング結果を前記基地局に報告することを特徴とする、方法。
（項目２）
前記参照キャリアにリンクされた非活性割り当てセカンダリキャリアのいずれか一つが活性化された場合、前記活性化されたセカンダリキャリアを除いた残りの非活性セカンダリキャリアに対するスキャニング及び／またはスキャニング結果報告を中断することをさらに含むことを特徴とする、項目１に記載の方法。
（項目３）
前記マルチキャリア広告メッセージは、キャリア活性化特定トリガ（ＣＡ−ｓｐｅｃｉｆｉｃ  ｔｒｉｇｇｅｒ）情報をさらに含み、前記キャリア活性化特定トリガ情報は、少なくとも一つのトリガ条件（ｔｒｉｇｇｅｒ  ｃｏｎｄｉｔｉｏｎ）及び前記トリガ条件を満足する場合に行われる動作（ａｃｔｉｏｎ）を含むことを特徴とする、項目１に記載の方法。
（項目４）
前記行われる動作は、非活性セカンダリキャリアに対するスキャンレポート（ＳＣＮ−ＲＥＰ）メッセージの伝送を含むことを特徴とする、項目３に記載の方法。
（項目５）
前記キャリア活性化特定トリガ情報は、前記参照キャリアに該当するトリガ情報であることを特徴とする、項目３に記載の方法。
（項目６）
前記トリガ条件を満足する場合、前記スキャニング結果を前記基地局に報告することを特徴とする、項目５に記載の方法。
（項目７）
前記参照キャリアにリンクされた非活性セカンダリキャリアは、前記参照キャリアが含まれたキャリアグループ内のキャリアのサブセット（ｓｕｂｓｅｔ）であることを特徴とする、項目１に記載の方法。
（項目８）
前記キャリアグループは、キャリアの特性が同一または類似したキャリアで構成され、前記キャリアの特性は、チャネル品質（ｃｈａｎｎｅｌ  ｑｕａｌｉｔｙ）またはカバレッジ（ｃｏｖｅｒａｇｅ）であることを特徴とする、項目１に記載の方法。
（項目９）
前記基地局から、非活性セカンダリキャリアのスキャニングを指示するスキャン応答（ＳＣＮ−ＲＳＰ）メッセージを受信することをさらに含むことを特徴とする、項目１に記載の方法。
（項目１０）
無線接続システムで、非活性セカンダリキャリア（ｉｎａｃｔｉｖｅ  ｓｅｃｏｎｄａｒｙ  ｃａｒｒｉｅｒ）のスキャニング（ｓｃａｎｎｉｎｇ）報告方法において、
参照キャリア（Ｒｅｆｅｒｅｎｃｅ  Ｃａｒｒｉｅｒ）情報を含むマルチキャリア広告（ＭＣ−ＡＤＶ）メッセージを端末に伝送することと、前記参照キャリア情報は、キャリアグループを代表する参照キャリアのキャリアインデックスを指示する情報であり、
前記端末の割り当てセカンダリキャリアのうち非活性セカンダリキャリアのスキャニングを指示するスキャン応答（ＳＣＮ−ＲＳＰ）メッセージを前記端末に伝送することと、
前記参照キャリアにリンクされた非活性セカンダリキャリアにおいて最も低いキャリアインデックスに該当する非活性セカンダリキャリアのスキャニング報告を前記端末から受信することと、を含んでなることを特徴とする、方法。
（項目１１）
前記参照キャリアにリンクされた非活性割り当てセカンダリキャリアのいずれか一つが活性化された場合、前記活性化されたセカンダリキャリアを除いた残りの非活性セカンダリキャリアに対するチャネル品質（ｃｈａｎｎｅｌ  ｑｕａｌｉｔｙ）を測定することをさらに含むことを特徴とする、項目１０に記載の方法。
（項目１２）
前記マルチキャリア広告メッセージは、非活性セカンダリキャリアのスキャニング報告のために定義されたキャリア活性化特定トリガ（ＣＡ−ｓｐｅｃｉｆｉｃ  ｔｒｉｇｇｅｒ）情報をさらに含み、
前記キャリア活性化特定トリガ情報は、少なくとも一つのトリガ条件及び前記トリガ条件を満足する場合に行われる動作を含むことを特徴とする、項目１０に記載の方法。
（項目１３）
前記参照キャリアにリンクされた非活性セカンダリキャリアは、前記参照キャリアが含まれたキャリアグループ内のキャリアのサブセット（ｓｕｂｓｅｔ）であることを特徴とする、項目１０に記載の方法。
（項目１４）
無線接続システムで、非活性セカンダリキャリア（ｉｎａｃｔｉｖｅ  ｓｅｃｏｎｄａｒｙ  ｃａｒｒｉｅｒ）のスキャニング（ｓｃａｎｎｉｎｇ）報告のための端末において、
外部と無線信号を送受信するための無線通信部と、
前記無線通信部に接続される制御部と、を含み、
前記制御部は、キャリアグループを代表する参照キャリアのキャリアインデックスを指示する参照キャリア（Ｒｅｆｅｒｅｎｃｅ  Ｃａｒｒｉｅｒ）情報を含むマルチキャリア広告（ＭＣ−ＡＤＶ）メッセージを基地局から受信するように前記無線通信部を制御し、少なくとも一つの非活性セカンダリキャリアに対するスキャニングを行うように制御し、前記参照キャリアにリンクされた（ｌｉｎｋｅｄ）割り当て（ａｓｓｉｇｎｅｄ）セカンダリキャリアが全て非活性である場合、前記参照キャリアにリンクされた割り当てセカンダリキャリアにおいて最も低いキャリアインデックスに該当する非活性セカンダリキャリアに対してのみスキャニング結果を前記基地局に報告するように前記無線通信部を制御することを特徴とする、端末。
（項目１５）
前記制御部は、
前記参照キャリアにリンクされた非活性セカンダリキャリアのいずれか一つが活性化された場合、前記活性化されたセカンダリキャリアを除いた残りの非活性セカンダリキャリアに対するスキャニング及び／またはスキャニング結果報告を中断するように制御することを特徴とする、項目１４に記載の端末。
（項目１６）
前記マルチキャリア広告メッセージは、非活性セカンダリキャリアのスキャニング報告のために定義されたキャリア活性化特定トリガ（ＣＡ−ｓｐｅｃｉｆｉｃ  ｔｒｉｇｇｅｒ）情報をさらに含み、
前記キャリア活性化特定トリガ情報は、少なくとも一つのトリガ条件及び前記トリガ条件を満足する場合に行われる動作を含むことを特徴とする、項目１４に記載の端末。
（項目１７）
前記行われる動作は、非活性セカンダリキャリアに対するスキャンレポート（ＳＣＮ−ＲＥＰ）メッセージの伝送であることを特徴とする、項目１６に記載の端末。
（項目１８）
前記キャリア活性化特定トリガ情報は、前記参照キャリアに該当するトリガ情報であることを特徴とする、項目１６に記載の端末。
（項目１９）
前記制御部は、
前記トリガ条件を満足する場合、前記最も低いキャリアインデックスに該当する非活性セカンダリキャリアのスキャニング結果を前記基地局に報告するように前記無線通信部を制御することを特徴とする、項目１８に記載の端末。
【図面の簡単な説明】
【００５５】
【図１】（ａ）及び（ｂ）は、多重帯域無線周波数（ＲＦ：Ｒａｄｉｏ  Ｆｒｅｑｕｅｎｃｙ）ベースの信号送受信方法を説明するための図である。
【図２】一般的な無線通信システムで多重搬送波が用いられる形態の一例を示す図である。
【図３】広帯域無線接続システムで、基地局がキャリア管理（運営）メッセージ（ＡＡＩ＿ＣＭ−ＣＭＤ  ｍｅｓｓａｇｅ）を通じて、端末に一つ以上のキャリアを割り当てる手順の一例を説明するための図である。
【図４】本明細書の第１実施例に係るフローチャートである。
【図５】本明細書の第２実施例に係るフローチャートである。
【図６】本明細書の一実施例に係る無線通信システムを示すブロック図である。
【発明を実施するための形態】
【００５６】
以下、本明細書に係る実施例を添付の図面を参照して詳細に説明する。下記の説明では、本明細書に係る動作を理解するのに必要な部分のみが説明され、その他の部分の説明は、本明細書の要旨が曖昧にしないように省略するということに留意すべきである。
【００５７】
以下の実施例は、本明細書の構成要素と特徴が所定の形態で結合されたものである。各構成要素または特徴は、別の明示的な言及がない限り、選択的なものとして考慮しなければならない。各構成要素または特徴は、他の構成要素や特徴と結合されない形態で実施することができる。また、一部の構成要素及び／または特徴を結合して本明細書の実施例を構成することも可能である。本明細書の各実施例で説明される動作の順序は変更可能である。ある実施例の一部構成や特徴は、他の実施例に含まれてもよく、他の実施例の対応する構成または特徴に取って代わることもできる。
【００５８】
本明細書での実施例は、基地局と端末との間のデータ送受信関係を中心に説明された。ここで、基地局は、端末と直接的に通信を行うネットワークの終端ノード（ｔｅｒｍｉｎａｌ  ｎｏｄｅ）としての意味を有する。本文書で、基地局によって行われると説明された特定動作は、場合によっては基地局の上位ノード（ｕｐｐｅｒ  ｎｏｄｅ）によって行われてもよい。
【００５９】
すなわち、基地局を含む多数のネットワークノード（ｎｅｔｗｏｒｋ  ｎｏｄｅｓ）からなるネットワークにおいて端末との通信のために行われる様々な動作は、基地局または基地局以外の他のネットワークノードにより行われうることは自明である。‘基地局’は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ａｃｃｅｓｓ  ｐｏｉｎｔ）などの用語に代替可能である。また、‘端末’は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に代替可能である。
【００６０】
本明細書の各実施例は、様々な手段を通じて具現することができる。例えば、本明細書の各実施例は、ハードウェア、ファームウエア（ｆｉｒｍｗａｒｅ）、ソフトウェア、またはそれらの結合などにより具現することができる。
【００６１】
ハードウェアによる具現の場合、本明細書の各実施例に係る方法は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【００６２】
ファームウエアやソフトウェアによる具現の場合、本明細書の各実施例に係る方法は、以上で説明された機能または動作を行うモジュール、手順または関数などの形態で具現することができる。ソフトウェアコードは、メモリユニットに格納されて、プロセッサによって駆動され得る。前記メモリユニットは、前記プロセッサの内部または外部に位置して、既に公知の様々な手段により前記プロセッサとデータを交換することができる。
【００６３】
以下の説明で使用される特定用語は、本明細書の理解を助けるために提供されたものであり、このような特定用語の使用は、本明細書の技術的思想を逸脱しない範囲で他の形態に変更可能である。
【００６４】
マルチキャリア動作モード（Ｍｕｌｔｉｃａｒｒｉｅｒ  Ｏｐｅｒａｔｉｏｎ  Ｍｏｄｅｓ）
１．マルチキャリアアグリゲーション（Ｍｕｌｔｉｃａｒｒｉｒ  Ａｇｇｒｅｇａｔｉｏｎ）
マルチキャリアアグリゲーション（Ｍｕｌｔｉｃａｒｒｉｒ  Ａｇｇｒｅｇａｔｉｏｎ）は、端末がセカンダリキャリア（ｓｅｃｏｎｄａｒｙ  ｃａｒｒｉｅｒ）を通じてデータ伝送を行っている間に、端末の物理層接続（ｐｈｙｓｉｃａｌ  ｌａｙｅｒ  ｃｏｎｎｅｃｔｉｏｎ）を維持し、プライマリキャリア（ｐｒｉｍａｒｙ  ｃａｒｒｉｅｒ）を通じて制御シグナリング（ｃｏｎｔｒｏｌ  ｓｉｇｎａｌｉｎｇ）をモニタリングするマルチキャリアモード（ｍｕｌｔｉｃａｒｒｉｅｒ  ｍｏｄｅ）のことをいう。
【００６５】
２．マルチキャリアスイッチング（Ｍｕｌｔｉｃａｒｒｉｅｒ  Ｓｗｉｔｃｈｉｎｇ）
マルチキャリアスイッチング（Ｍｕｌｔｉｃａｒｒｉｅｒ  Ｓｗｉｔｃｈｉｎｇ）は、セカンダリキャリア（ｓｅｃｏｎｄａｒｙ  ｃａｒｒｉｅｒ）を通じてＥ−ＭＢＳサービスを受信するために、基地局の指示によって、プライマリキャリア（ｐｒｉｍａｒｙ  ｃａｒｒｉｅｒ）から、部分構成された、または完全構成されたセカンダリキャリア（ｓｅｃｏｎｄａｒｙ  ｃａｒｒｉｅｒ）に端末の物理層接続（ｐｈｙｓｉｃａｌ  ｌａｙｅｒ  ｃｏｎｎｅｃｔｉｏｎ）をスイッチングするマルチキャリアモードのことをいう。
【００６６】
３．基本マルチキャリアモード（Ｂａｓｉｃ  ＭＣ  ｍｏｄｅ）
基本マルチキャリアモード（Ｂａｓｉｃ  ＭＣ  ｍｏｄｅ）は、端末が、マルチキャリア動作に関連したキャリアの最適化されたスキャニングだけでなく、プライマリキャリア（ｐｒｉｍａｒｙ  ｃａｒｒｉｅｒ）変更過程を支援するが、単に、シングルキャリア（ｓｉｎｇｌｅ  ｃａｒｒｉｅｒ）で動作するモードのことをいう。
【００６７】
以下、マルチキャリアの動作において使用できる用語を定義する。
【００６８】
１．利用可能キャリア（Ａｖａｉｌａｂｌｅ  ｃａｒｒｉｅｒ）：利用可能キャリアは、基地局（ＡＢＳ）に属する全てのキャリアを意味する。端末は、利用可能キャリアに関する情報をグローバルキャリア設定（ＡＡＩ＿Ｇｌｏｂａｌ−ｃｏｎｆｉｇ）メッセージまたはマルチキャリア公示（ＡＡＩ＿ＭＣ−ＡＤＶ）メッセージを通じて獲得することができる。
【００６９】
２．割り当てキャリア（Ａｓｓｉｇｎｅｄ  ｃａｒｒｉｅｒ）：割り当てキャリアは、端末の能力（ｃａｐａｂｉｌｉｔｙ）によって基地局が端末に割り当てる利用可能キャリアのサブセット（ｓｕｂｓｅｔ）を意味する。すなわち、基地局は、端末の能力を考慮して、自身の利用可能キャリアのうち一つ以上を端末の割り当てセカンダリキャリア（Ａｓｓｉｇｎｅｄ  ｓｅｃｏｎｄａｒｙｃａｒｒｉｅｒ）に割り当てることができる。
【００７０】
３．活性キャリア（Ａｃｔｉｖｅ  ｃａｒｒｉｅｒ）：活性キャリアは、端末と基地局間に実際にデータを交換する準備ができたキャリアを意味し、割り当てキャリアのサブセット（ｓｕｂｓｅｔ）であり得る。割り当てセカンダリキャリアの活性化／非活性化（ａｃｔｉｖａｔｉｏｎ／ｄｅａｃｔｉｖａｔｉｏｎ）は、サービス品質（ＱｏＳ）要求に基づく基地局の判断によって決定することができる。基地局は、特定セカンダリキャリアに対する活性化／非活性を、端末にキャリア管理（運営）命令（ＡＡＩ＿ＣＭ−ＣＭＤ）メッセージを通じて指示することができる。
【００７１】
上述した定義に基づいて、以下では、基地局が端末にキャリアを割り当てる手順について、図３を参照して説明する。
【００７２】
図３は、広帯域無線接続システムで、基地局が、キャリア管理（運営）メッセージ（ＡＡＩ＿ＣＭ−ＣＭＤ  ｍｅｓｓａｇｅ）を通じて、端末に一つ以上のキャリアを割り当てる手順の一例を説明するための図である。
【００７３】
図３を参照すると、端末（ＡＭＳ）は、基地局（ＡＢＳ）との間でスキャニング、レンジングなどの過程を含む初期接続手順（ｉｎｉｔｉａｌ  ｎｅｔｗｏｒｋ  ｅｎｔｒｙ）を行う（Ｓ３０１）。
【００７４】
端末と基地局は、登録要請／応答（ＡＡＩ＿ＲＥＧ−ＲＥＱ／ＲＳＰ）メッセージを通じて相互間のマルチキャリア能力（Ｍｕｌｔｉｃａｒｒｉｅｒ  Ｃａｐａｂｉｌｉｔｉｅｓ）に関する情報を交換することができる（Ｓ３０２、Ｓ３０３）。
【００７５】
基地局は、端末にＡＡＩ＿ＲＥＧ−ＲＳＰメッセージを伝送した後、グローバルキャリア設定（ＡＡＩ＿Ｇｌｏｂａｌ−ｃｏｎｆｉｇ）メッセージを伝送することができる（Ｓ３０４）。グローバルキャリア設定メッセージには、ネットワークで支援する全ての利用可能キャリアに関する情報が含まれる。
【００７６】
また、端末は、基地局から周期的に放送されるマルチキャリア公示（または広告）（ＡＡＩ＿ＭＣ−ＡＤＶ）メッセージを受信して、基地局のマルチキャリア設定に関する情報を獲得することができる（Ｓ３０５）。
【００７７】
その後、端末は、獲得した情報を用いて、基地局の利用可能キャリアのマルチキャリア設定（ｍｕｌｔｉｃａｒｒｉｅｒ  ｃｏｎｆｉｇｕｒａｔｉｏｎｓ）によって自身が支援できるキャリア（ＡＭＳ’ｓ  ｓｕｐｐｏｒｔａｂｌｅ  ｃａｒｒｉｅｒｓ）に関する情報をマルチキャリア要請（ＡＡＩ＿ＭＣ−ＲＥＱ）メッセージを通じて基地局に知らせる方法で、割り当てキャリアのリストを基地局に要請することができる（Ｓ３０６）。
【００７８】
基地局は、端末から受信した情報に基づいて、自身の利用可能キャリアの中から端末のセカンダリキャリアに割り当てられるサブセットを決定して、割り当てキャリアリストを決定し、マルチキャリア応答（ＡＡＩ＿ＭＣ−ＲＳＰ）メッセージを通じてこれを端末に知らせることができる（Ｓ３０７）。
【００７９】
その後、基地局は、サービス品質（ＱｏＳ）要求に基づく判断によって、端末に割り当てた割り当てキャリアの活性化／非活性化を、キャリア管理命令（ＡＡＩ＿ＣＭ−ＣＭＤ）メッセージを通じて端末に指示することができる（Ｓ３０８）。
【００８０】
以下では、本明細書で提案するキャリア活性化特定トリガ情報（またはフィールド）を非活性割り当てセカンダリキャリアに対してのみ定義することによって、端末の割り当てセカンダリキャリアのうち活性セカンダリキャリアに対してスキャニング及びスキャニング報告を行わない方法と、活性セカンダリキャリアと同一または類似したキャリア特性を有する非活性セカンダリキャリアのキャリア活性化特定トリガ情報によるスキャニング及びスキャニング報告を行わない方法について様々な実施例を通じて説明する。
【００８１】
第１実施例
第１実施例は、キャリア活性化特定トリガ（ＣＡ−ｓｐｅｃｉｆｉｃ  ｔｒｉｇｇｅｒ）情報を、端末の割り当てセカンダリキャリアのうち非活性セカンダリキャリアに対してのみ適用されるように新しく定義する方法を提供する。
【００８２】
図４は、本明細書の第１実施例に係るフローチャートを示す。
【００８３】
図４を参照すると、基地局は、下記の表１に定義されたキャリア活性化特定トリガフィールドを含むマルチキャリア広告（ＡＡＩ＿ＭＣ−ＡＤＶ）メッセージを端末に伝送する（Ｓ４１０）。
【００８４】
ここで、前記キャリア活性化特定トリガフィールドは、非活性セカンダリキャリアのスキャニング結果を報告するために定義されるトリガフィールドであり、少なくとも一つのトリガ条件及び前記トリガ条件に到達する場合に行われる動作を含む。前記トリガ条件は、非活性セカンダリキャリアのスキャニング報告のためのトリガ条件のことをいい、前記行われる動作は、基地局へのスキャニング結果報告、すなわち、スキャンレポート（ＡＡＩ＿ＳＣＮ−ＲＥＰ）メッセージの伝送のことをいう。
【００８５】
その後、端末は、割り当てセカンダリキャリアのうち非活性セカンダリキャリアに対してスキャニングを行う（Ｓ４２０）。ここで、前記非活性セカンダリキャリアに対するスキャニングは、スキャニングのためのトリガ条件を満足したり、基地局からスキャン応答（ＳＣＮ−ＲＳＰ）メッセージを受信する場合に行うことができる。前記スキャニングのためのトリガ条件は、スキャニング報告のためのトリガ条件を同一に用いることができる。
【００８６】
その後、端末は、前記非活性セカンダリキャリアに対するスキャニング結果が、下記の表１に定義されるキャリア活性化特定トリガフィールドに含まれたトリガ条件を満足する場合（Ｓ４３０）、基地局に前記スキャニング結果を報告する（Ｓ４４０）。ここで、端末は、前記スキャニング結果をスキャンレポート（ＳＣＮ−ＲＥＰ）メッセージを通じて前記基地局に報告する。
【００８７】
その後、基地局は、端末から報告された非活性セカンダリキャリアのスキャニング結果を参照して、非活性セカンダリキャリアを活性化（ｃａｒｒｉｅｒ  ａｃｔｉｖａｔｉｏｎ）するか否かを決定し、非活性セカンダリキャリアの活性化を前記端末に指示することができる（Ｓ４５０、Ｓ４６０）。
【００８８】
下記の表１は、第１実施例に係るキャリア活性化特定トリガ（ＣＡ−ｓｐｅｃｉｆｉｃ  ｔｒｉｇｇｅｒ）フィールドのフォーマットの一例を示す。
【００８９】
【表１】
0005844369.tif 000002
下記の表２は、第１実施例に係るキャリア活性化特定トリガ（ＣＡ−ｓｐｅｃｉｆｉｃ  ｔｒｉｇｇｅｒ）フィールドのＴｙｐｅ／Ｆｕｎｃｔｉｏｎ／Ａｃｔｉｏｎフォーマットの一例を示す。
【００９０】
【表２】
0005844369.tif 000003
前記表２を参照すると、キャリア活性化特定トリガフィールドは、トリガタイプ（Ｔｙｐｅ）フィールド、特定動作をトリガするための計算方法を定義するトリガ関数（Ｆｕｎｃｔｉｏｎ）フィールド、及びトリガ条件を満足する場合に行われる動作（Ａｃｔｉｏｎ）フィールドを含む。
【００９１】
前記表２に示したように、トリガタイプフィールドは、搬送波対干渉及びノイズ比（Ｃａｒｒｉｅｒ  ｔｏ  Ｉｎｔｅｒｆｅｒｅｎｃｅ  ａｎｄ  Ｎｏｉｓｅ  Ｒａｔｉｏｎ：ＣＩＮＲ）、受信信号強度指示者（Ｒｅｃｅｉｖｅｄ  Ｓｉｇｎａｌ  Ｓｔｒｅｎｇｔｈ  Ｉｎｄｉｃａｔｏｒ：ＲＳＳＩ）を含む。
【００９２】
また、トリガ関数フィールドは、スキャニング及びスキャニング報告の動作をトリガするための計算方法を示し、非活性割り当てセカンダリキャリアのメトリックが絶対値（または臨界値）よりも大きい場合に、前記スキャニング及びスキャニング報告の動作がトリガされる。
【００９３】
また、トリガ動作フィールドは、一例として、‘０ｂ０’に設定された場合、トリガ条件に到達したとき、基地局へのスキャンレポート（ＳＣＮ−ＲＥＰ）メッセージの伝送を指示する。
【００９４】
第２実施例
第２実施例は、マルチキャリア広告（ＡＡＩ＿ＭＣ−ＡＤＶ）メッセージを通じて伝送される参照キャリア（Ｒｅｆｅｒｅｎｃｅ  Ｃａｒｒｉｅｒ）情報（またはフィールド）を用いて、非活性セカンダリキャリア（ｉｎａｃｔｉｖｅ  ｓｅｃｏｎｄａｒｙ  ｃａｒｒｉｅｒ）のスキャニング結果を報告する方法を提供する。
【００９５】
すなわち、第２実施例は、任意の（または特定）キャリア（一例として、参照キャリア）に対して予め定義されたキャリア活性化特定トリガ条件と、前記トリガ条件と同一のトリガ条件を有するキャリアが１個以上存在する場合、マルチキャリア広告メッセージを通じて、端末に前記予め定義されたキャリア活性化特定トリガ条件に該当するキャリアインデックス（ｃａｒｒｉｅｒ  ｉｎｄｅｘ）（一例として、最も低いインデックス（ｉｎｄｅｘ）を有するキャリア（ｃａｒｒｉｅｒ）でのみ定義）を知らせる参照キャリアインデックスを定義する。
【００９６】
図５は、本明細書の第２実施例に係るフローチャートを示す。
【００９７】
図５を参照すると、端末は、参照キャリア（Ｒｅｆｅｒｅｎｃｅ  Ｃａｒｒｉｅｒ）情報を含むマルチキャリア広告（ＭＣ−ＡＤＶ）メッセージを基地局から受信する（Ｓ５１０）。ここで、参照キャリア情報は、キャリアグループを代表する参照キャリアとして動作するキャリアのインデックスを指示し、キャリア活性化特定トリガ（ＣＡ−ｓｐｅｃｉｆｉｃ  ｔｒｉｇｇｅｒ）のために使用されるキャリアを示す。
【００９８】
前記参照キャリアのインデックスは、物理キャリアインデックス（ｐｈｙｓｉｃａｌ  ｃａｒｒｉｅｒ  ｉｎｄｅｘ）を意味する。
【００９９】
また、前記マルチキャリア広告メッセージは、キャリア活性化特定トリガフィールドを含む。前記キャリア活性化特定トリガフィールドは、非活性セカンダリキャリアのスキャニング及び／またはスキャニング報告のために定義されるトリガ情報である。また、前記キャリア活性化特定トリガフィールドは、前記参照キャリアのためにだけ存在することができる。この場合、参照キャリアに関連したキャリアは、前記参照キャリアのために存在するキャリア活性化特定トリガフィールドを同一に使用する。すなわち、前記参照キャリアに関連したキャリアに対するキャリア活性化特定トリガ情報は省略できる。
【０１００】
端末は、前記参照キャリアに該当するキャリア活性化特定トリガフィールドに基づいて、非活性セカンダリキャリアに対するスキャニング報告動作を行う。
【０１０１】
ここで、前記キャリア活性化特定トリガフィールドは、前記表１に示されたように、少なくとも一つのトリガ条件及び前記トリガ条件に到達したときに行われる動作を含む。
【０１０２】
端末は、前記参照キャリアに関連した割り当てセカンダリキャリアに対しては、前記参照キャリアに該当するキャリア活性化特定トリガフィールドを同一に使用する。
【０１０３】
すなわち、基地局は、端末に、マルチキャリア広告メッセージを通じて参照キャリア情報を伝送する場合、非活性セカンダリキャリアのそれぞれに対するキャリア活性化特定トリガ条件を伝送せずに、前記参照キャリアに関連した非活性セカンダリキャリアに対しては、前記参照キャリアに該当するキャリア活性化特定トリガ条件を伝送する。
【０１０４】
一例として、参照キャリアが‘キャリア１’で、参照キャリアに関連した非活性セカンダリキャリアが‘キャリア２’及び‘キャリア３’である場合、基地局は、‘キャリア２’及び‘キャリア３’に対するキャリア活性化特定トリガ条件を別々に伝送せずに、前記‘キャリア１’に該当するキャリア活性化特定トリガ条件を表示して端末に伝送する。
【０１０５】
その後、端末は、前記基地局から、割り当てセカンダリキャリアのうち非活性セカンダリキャリアのスキャニングを指示するスキャン応答（ＳＣＮ−ＲＳＰ）メッセージを受信する（Ｓ５２０）。すなわち、端末は、基地局からスキャン応答メッセージを受信する場合に、非活性セカンダリキャリアに対するスキャニングを行うようになる（Ｓ５３０）。
【０１０６】
ここで、端末は、前記マルチキャリア広告メッセージに含まれて受信された参照キャリアに関連した割り当てセカンダリキャリアが活性化されたか否かを確認する。
【０１０７】
前記参照キャリアに関連した割り当てセカンダリキャリアは、前記参照キャリアが含まれたキャリアグループ内のキャリアのサブセットに該当するキャリアのことをいう。一例として、特定キャリアグループが、‘キャリア１’、‘キャリア２’、‘キャリア３’、及び‘キャリア４’を含み、‘キャリア１’が前記特定キャリアグループを代表する参照キャリアであり、端末の割り当てキャリアは、‘キャリア２’及び‘キャリア３’である場合、前記参照キャリア１に関連した割り当てキャリアは、‘キャリア２’及び‘キャリア３’のことをいう。
【０１０８】
端末が、前記活性化されたか否かを確認した結果、前記参照キャリアに関連した割り当てセカンダリキャリアが全て非活性セカンダリキャリアである場合（Ｓ５４０）、前記参照キャリアに関連した割り当てセカンダリキャリアにおいて最も低いキャリアインデックスに該当するセカンダリキャリアに対してのみスキャニング結果を基地局に報告する動作を行う。ここで、端末は、前記最も低いキャリアインデックスに該当するセカンダリキャリアに対してのみスキャニングを行うこともできる。
【０１０９】
ここで、端末は、前記スキャニング結果が、前記マルチキャリア広告メッセージに含まれたキャリア活性化特定トリガフィールドのトリガ条件を満足する場合（Ｓ５５０）、前記スキャニング結果を前記基地局に報告する（Ｓ５６０）。前記スキャニング結果は、スキャンレポート（ＳＣＮ−ＲＥＰ）メッセージを通じて基地局に伝送される。
【０１１０】
したがって、基地局は、前記端末から伝送されるスキャニング結果に基づいて、非活性セカンダリキャリアを活性化するか否かを決定することができる。
【０１１１】
また、前記参照キャリアに関連した割り当てセカンダリキャリアのいずれか一つが活性化された場合（Ｓ５７０）、端末は、残りの非活性セカンダリキャリアに対してスキャニング及びスキャニング報告動作を中断するようになる（Ｓ５８０）。すなわち、この場合、基地局は、前記活性化されたセカンダリキャリアのチャネル品質を通じて、前記残りの非活性セカンダリキャリアのチャネル品質を参考する。したがって、基地局は、前記活性化されたセカンダリキャリアを通じて非活性セカンダリキャリアの活性化を指示することができる。
【０１１２】
下記の表３は、参照キャリアフィールド及びキャリア活性化特定トリガフィールドを含むマルチキャリア広告（ＭＣ−ＡＤＶ）メッセージのフォーマットの一例を示す。
【０１１３】
【表３】
0005844369.tif 000004
前記表３を参照すると、マルチキャリア広告メッセージは、参照キャリアフィールド及びキャリア活性化特定トリガ定義フィールドを含む。
【０１１４】
前記参照キャリアフィールドは、同一または類似した特性を有するキャリアグループを代表し、キャリア活性化特定トリガのために使用される参照キャリアとして動作するキャリアの物理キャリアインデックス（ｐｈｙｓｉｃａｌ  ｃａｒｒｉｅｒ  ｉｎｄｅｘ）を指示する。前記参照キャリアフィールドの値が存在する場合、キャリアグループ内のキャリアに対するキャリア活性化特定トリガ定義は省略される。
【０１１５】
また、前記キャリア活性化特定トリガフィールドは、下記の表４に定義されたトリガタイプフィールド、トリガ関数フィールド、及びトリガ動作フィールドを含む。前記キャリア活性化特定トリガフィールドは、割り当てセカンダリキャリアの活性化のためにスキャニングを必要とする時に、参照キャリアのためにのみ存在することができる。
【０１１６】
下記の表４は、第２実施例に係るキャリア活性化特定トリガ（ＣＡ−ｓｐｅｃｉｆｉｃ  ｔｒｉｇｇｅｒ）フィールドのＴｙｐｅ／Ｆｕｎｃｔｉｏｎ／Ａｃｔｉｏｎフォーマットの一例を示す。
【０１１７】
【表４】
0005844369.tif 000005
第３実施例
第３実施例は、キャリア活性化特定トリガ条件が定義される必要がある全てのキャリアに対して、キャリア活性化特定トリガ条件をそれぞれ定義し、同一のキャリア活性化特定トリガ条件を有するキャリアは、同一のカバレッジを有するキャリアと見なすことによって、同一のカバレッジを有する非活性セカンダリキャリアに対するスキャニング報告方法を提供する。
【０１１８】
端末は、基地局から、非活性セカンダリキャリアのスキャニング及びスキャニング報告のために定義されたキャリア活性化特定トリガフィールドを含むマルチキャリア広告メッセージを受信する。ここで、前記キャリア活性化特定トリガフィールドは、前記非活性セカンダリキャリアのそれぞれに対するトリガ条件が定義されている。
【０１１９】
その後、端末は、基地局から、非活性セカンダリキャリアのスキャニングを指示するスキャン応答メッセージを受信する。ここで、端末は、スキャン応答メッセージを受信せずに、前記キャリア活性化特定トリガフィールドを参照して、トリガ条件を満足する場合に、スキャニングを行うこともできる。
【０１２０】
端末は、非活性セカンダリキャリアに対するスキャニングを行い、前記キャリア活性化特定トリガフィールドのトリガ条件を満足する場合、基地局に前記スキャニング結果を報告する。この場合、端末は、同一のトリガ条件で定義された割り当てキャリアのいずれか一つが活性化された場合、前記活性化されたセカンダリキャリアと同一のトリガ条件を有する非活性セカンダリキャリアに対するスキャニング及びスキャニング結果報告動作を中断する。すなわち、端末は、同一のトリガ条件で定義されたキャリアは、同一のカバレッジを有するキャリアと見なすようになる。
【０１２１】
したがって、基地局は、前記活性化されたセカンダリキャリアと同一のカバレッジ（または同一のトリガ条件）を有する非活性セカンダリキャリアに対するチャネル品質は、前記活性化されたセカンダリキャリアのチャネル品質を参照することによって、非活性セカンダリキャリアの活性化を指示するようになる。
【０１２２】
第４実施例
第４実施例は、同一のキャリアグループ（Ｃａｒｒｉｅｒ  Ｇｒｏｕｐ）に属するキャリアに対して、一つのトリガ条件を定義することによって、非活性セカンダリキャリアのスキャニング及びスキャニング報告動作を行う方法を提供する。
【０１２３】
ここで、同一のキャリアグループに含まれるキャリアは、全て同一のカバレッジを有する。なぜなら、基地局は、グローバル構成（または設定）メッセージ（ＡＡＩ＿Ｇｌｏｂａｌ−ＣＦＧ  ｍｅｓｓａｇｅ）を通じて、ネットワークで支援する全ての利用可能キャリア（ａｖａｉｌａｂｌｅ  ｃａｒｒｉｅｒ）に関する情報を端末に伝送する。利用可能キャリアに関する情報を端末に効率的に伝送するために、キャリアグループの概念を使用し、同一のキャリアグループ（Ｃａｒｒｉｅｒ  Ｇｒｏｕｐ）は、サブキャリアが特定周波数オフセットで配置される連続的なキャリアのグループで定義される。したがって、同一のキャリアグループに含まれるキャリアは、同一または類似した属性を有するキャリアの束と見なすことができる。
【０１２４】
端末は、基地局から、非活性セカンダリキャリアのスキャニング及びスキャニング報告のために定義されたキャリア活性化特定トリガフィールドを受信する。前記キャリア活性化特定トリガフィールドは、マルチキャリア広告メッセージを通じて伝送される。
【０１２５】
また、前記キャリア活性化特定トリガフィールドはキャリアグループ別に定義され、キャリアグループ内のキャリアは同一のトリガ条件を有する。一例として、Ｎ個のキャリアが一つのキャリアグループに属する場合、同一のキャリアグループに属するＮ個のキャリアは全て同一のトリガ条件を有するようになる。
【０１２６】
その後、端末は、前記トリガ条件に基づいて、割り当てセカンダリキャリアのうち前記キャリアグループに属するセカンダリキャリアに対しては、一つのキャリアに対してのみスキャニング及びスキャニング報告を行う。
【０１２７】
ここで、端末は、割り当てセカンダリキャリアのうち前記キャリアグループに属する一つのキャリアが活性化された場合、割り当てセカンダリキャリアのうち前記活性化されたキャリアが属するキャリアグループ内のキャリアに対しては、スキャニング及びスキャニング報告を行わないようになる。すなわち、基地局は、活性化されたセカンダリキャリアのチャネル品質指示者（ＣＱＩ）を通じて、前記キャリアグループ内の他の非活性セカンダリキャリアのチャネル品質を参照することによって、キャリア活性化を指示することができる。
【０１２８】
図６は、本明細書の一実施例に係る無線通信システムを示すブロック図である。
【０１２９】
基地局６１０は、制御部６１１、メモリ６１２及び無線通信（ＲＦ）部（ｒａｄｉｏ  ｆｒｅｑｕｅｎｃｙ  ｕｎｉｔ）６１３を含む。
【０１３０】
制御部６１１は、提案された機能、過程及び／または方法を具現する。無線インターフェースプロトコル層は、制御部６１１によって具現可能である。
【０１３１】
制御部６１１は、非活性セカンダリキャリアの活性化を決定する場合、非活性セカンダリキャリアのスキャンレポーティングトリガ条件を含むメッセージ（一例として、マルチキャリア広告メッセージ）を端末に伝送するように制御することができる。
【０１３２】
メモリ６１２は、制御部６１１に接続され、非活性セカンダリキャリアのスキャンレポーティングトリガ条件のためのプロトコルやパラメータを格納する。ＲＦ部６１３は、制御部６１１に接続され、無線信号を送信及び／または受信する。
【０１３３】
端末６２０は、制御部６２１、メモリ６２２及び無線通信（ＲＦ）部６２３を含む。
【０１３４】
制御部６２１は、提案された機能、過程及び／または方法を具現する。無線インターフェースプロトコル層は、制御部６２１によって具現可能である。制御部６２１は、非活性セカンダリキャリアのスキャニング結果、非活性セカンダリキャリアのスキャンレポーティングトリガ条件を満足する場合、前記スキャニング結果をスキャンレポートメッセージを通じて基地局に伝送するように制御することができる。
【０１３５】
メモリ６１２は、制御部６２１に接続され、非活性セカンダリキャリアのスキャンレポーティングのためのプロトコルやパラメータを格納する。ＲＦ部６１３は、制御部６２１に接続され、無線信号を送信及び／または受信する。
【０１３６】
制御部６１１，６２１は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリ６１２，６２２は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部６１３，６２３は、無線信号を処理するためのベースバンド回路を含むことができる。実施例がソフトウェアで具現されるとき、上述した技法は、上述した機能を行うモジュール（過程、機能など）で具現することができる。モジュールは、メモリ６１２，６２２に格納され、制御部６１１，６２１によって実行することができる。メモリ６１２，６２２は、制御部６１１，６２１の内部または外部にあってもよく、公知の様々な手段により制御部６１１，６２１に接続することができる。
【図１（ａ）】
0005844369.tif 000006
【図１（ｂ）】
0005844369.tif 000007
【図２（ａ）】
0005844369.tif 000008
【図２（ｂ）】
0005844369.tif 000009
【図３】
0005844369.tif 000010
【図４】
0005844369.tif 000011
【図５】
0005844369.tif 000012
【図６】
0005844369.tif 000013